(57)【要約】【課題】  遊技盤の両側に球を発射可能で簡単な構造のパチンコ機の発射装置を提供する。【解決手段】  左右の発射通路４７の有る遊技盤４１の格納される遊技機枠１の内部には、球を受け取る球受部８６と、球受部から左右の発射通路のそれぞれに指向する発射レール８７と、左右の発射レールを個別に囲む筒状の電磁石８８とを備え、遊技機枠の前面には、球受部に球を供給する皿構造体６と、人の操作で皿構造体から球受部への球の供給と発射出力とを制御装置に指示する発射操作機構３４とを備え、制御装置が電磁石を発射操作機構から指示された発射出力により電力の供給と遮断との交互の繰り返しで駆動し、複数の電磁石に対する駆動を交互に行うことによって、複数の電磁石が球受部に供給された球を該当する発射レールに向けて交互に発射し、当該発射レールが発射された球を対応する発射通路に誘導した。【選択図】        図１
2005177140.tif 000002
【特許請求の範囲】
【請求項１】
左右の発射通路の有る遊技盤の格納される遊技機枠の内部には、球を受け取る球受部と、球受部から左右の発射通路のそれぞれに指向する発射レールと、左右の発射レールを個別に囲む筒状の電磁石とを備え、遊技機枠の前面には、球受部に球を供給する皿構造体と、人の操作で皿構造体から球受部への球の供給と発射出力とを制御装置に指示する発射操作機構とを備え、制御装置が電磁石を発射操作機構から指示された発射出力により電力の供給と遮断との交互の繰り返しで駆動し、複数の電磁石に対する駆動を交互に行うことによって、複数の電磁石が球受部に供給された球を該当する発射レールに向けて交互に発射し、当該発射レールが発射された球を対応する発射通路に誘導したことを特徴とするパチンコ機の発射装置。
【請求項２】
遊技機枠の内部に、球受部に供給された球を検出する球検出器を備え、制御装置が球検出器からの球検出信号を入力する毎に複数の電磁石を交互に駆動したことを特徴とする請求項１に記載のパチンコ機の発射装置。
【請求項３】
遊技機枠の前面に、人の操作で複数の電磁石に対する駆動の切換を制御装置に指示する発射方向切換操作機構を備え、制御装置が発射方向切換操作機構からの指示により複数の電磁石に対する交互の駆動をいずれか一方の電磁石に対する駆動に切換えたことを特徴とする請求項１に記載のパチンコ機の発射装置。
【請求項４】
左右の発射通路の有る遊技盤の格納される遊技機枠の内部には、球を受け取る球受部と、球受部から左右の発射通路のそれぞれに指向する発射レールと、左右の発射レールを個別に囲む筒状の電磁石とを備え、遊技機枠の前面には、球受部に球を供給する皿構造体と、人の操作で複数の電磁石に対する駆動の切換を制御装置に指示する発射方向切換操作機構と、人の操作で皿構造体から球受部への球の供給と発射出力とを制御装置に指示する発射操作機構とを備え、制御装置が発射方向切換操作機構から指示された複数の電磁石のいずれか一方を発射操作機構から指示された発射出力により電力の供給と遮断との交互の繰り返しで駆動することによって、上記いずれか一方の電磁石が球受部に供給された球を該当する一方の発射レールに向けて発射し、当該発射レールが発射された球を対応する一方の発射通路に誘導することを特徴とするパチンコ機の発射装置。
【請求項５】
遊技領域に発射された球の全部を集合して遊技機枠外に向けて排出する集合樋と、遊技領域に到達しないで電磁石側に戻ったファール球を集合して遊技機枠の前面の球皿に排出するファール樋と、集合樋を通る球およびファール樋を通る球から残留磁気を消去する消磁機構とを備えたことを特徴とする請求項１ないし請求項４のいずれかに記載のパチンコ機の発射装置。
【発明の詳細な説明】
【技術分野】
【０００１】
本発明は遊技盤の両側に球を発射可能で簡単な構造のパチンコ機の発射装置に関する。
【背景技術】
【０００２】
パチンコ機の発射装置には、球受部、受け皿から球受部に球を誘導する球通路、球通路から球受部に球を１個ずつ交互に供給する球送機構、発射レール、発射通路、ハンマー、調整ハンドルを２つ備え、球を打撃して発射させるハンマーを交互に切換える機構を備えた構造が知られている。しかしながら、この発射装置は構造が複雑である。また、球受部と発射レールとが遊技盤に設けられているので、機種交換のための遊技盤のすべてにこれら球受部と発射レールとを形成しなくてはならないので、経済的に不利である。
【特許文献１】特開昭６０−２１０２８１号公報
【発明の開示】
【発明が解決しようとする課題】
【０００３】
発明が解決しようとする問題点は、遊技盤の両側に球を発射可能とするために複雑な構造の発射装置を採用しなければならないという点である。
【課題を解決するための手段】
【０００４】
本発明のパチンコ機の発射装置は、左右の発射通路の有る遊技盤の格納される遊技機枠の内部には、球を受け取る球受部と、球受部から左右の発射通路のそれぞれに指向する発射レールと、左右の発射レールを個別に囲む筒状の電磁石とを備え、遊技機枠の前面には、球受部に球を供給する皿構造体と、人の操作で皿構造体から球受部への球の供給と発射出力とを制御装置に指示する発射操作機構とを備え、制御装置が電磁石を発射操作機構から指示された発射出力により電力の供給と遮断との交互の繰り返しで駆動し、複数の電磁石に対する駆動を交互に行うことによって、複数の電磁石が球受部に供給された球を該当する発射レールに向けて交互に発射し、当該発射レールが発射された球を対応する発射通路に誘導したことを特徴とする。遊技機枠の内部に、球受部に供給された球を検出する球検出器を備え、制御装置が球検出器からの球検出信号を入力する毎に複数の電磁石を交互に駆動したことや、遊技機枠の前面に、人の操作で複数の電磁石に対する駆動の切換を制御装置に指示する発射方向切換操作機構を備え、制御装置が発射方向切換操作機構からの指示により複数の電磁石に対する交互の駆動をいずれか一方の電磁石に対する駆動に切換えたことも特徴とする。また、左右の発射通路の有る遊技盤の格納される遊技機枠の内部には、球を受け取る球受部と、球受部から左右の発射通路のそれぞれに指向する発射レールと、左右の発射レールを個別に囲む筒状の電磁石とを備え、遊技機枠の前面には、球受部に球を供給する皿構造体と、人の操作で複数の電磁石に対する駆動の切換を制御装置に指示する発射方向切換操作機構と、人の操作で皿構造体から球受部への球の供給と発射出力とを制御装置に指示する発射操作機構とを備え、制御装置が発射方向切換操作機構から指示された複数の電磁石のいずれか一方を発射操作機構から指示された発射出力により電力の供給と遮断との交互の繰り返しで駆動することによって、上記いずれか一方の電磁石が球受部に供給された球を該当する一方の発射レールに向けて発射し、当該発射レールが発射された球を対応する一方の発射通路に誘導することも特徴とする。遊技領域に発射された球の全部を集合して遊技機枠外に向けて排出する集合樋と、遊技領域に到達しないで電磁石側に戻ったファール球を集合して遊技機枠の前面の球皿に排出するファール樋と、集合樋を通る球およびファール樋を通る球から残留磁気を消去する消磁機構とを備えたことも特徴とする。
【発明の効果】
【０００５】
１つの球受部と２つの発射レールと２つの電磁石とを遊技機枠に設けているので、遊技盤毎にこれら２つの球受部と２つの球供給装置とを設けなくともよく、遊技盤の両側に球を発射可能とするため構造を簡単にできる。また、機種交換のための遊技盤としては、両側に発射通路を備えた簡単な構成の遊技盤を用いることができる。また、球検出器からの球検出信号によって電磁石駆動手段が一方と他方の電磁石を交互に駆動するので、球受部に確実に球のある状態で球を交互に発射でき、発射の信頼性を高めることができる。発射方向切換操作機構を備えるので、遊技者は、好みの発射方向を選択できる。遊技領域から遊技機枠の外部に排出される球に帯磁していた残留磁気が消磁機構で消磁されるので、パチンコ機の設置される遊技設置構造体の回収装置から当該遊技設置構造体の補給装置を経由して払出機構に供給された複数の球どうしが残留磁気で互いに数珠つなぎとなって球詰まりを発生することなく、当該球をパチンコ機で適切に使用することができる。
【発明を実施するための最良の形態】
【０００６】
図１のａ図は遊技機枠１と遊技盤４１とを分解したパチンコ機の前側からの外観を示し、図１のｂ図は発射構成体８５を示し、図２はパチンコ機の正面を示し、図３は発射構成体８５の取付構造を示し、図４は発射制御の構成を示し、図５は盤側集合樋６１と枠側集合樋６３およびファール樋６４の裏面を除去したパチンコ機の背面を示す。
【０００７】
図１を参照し、パチンコ機について説明する。パチンコ機の遊技機枠１は、パチンコ店の図外の遊技設置構造体に取り付けるための外枠と呼ばれるような固定枠２を備える。固定枠２は前後方向に開放された縦長な長方形の空間を囲む額縁形状である。固定枠２には、前枠または中枠と呼ばれるような可動枠３が左側のヒンジ４で前側横方向に片開き可能に設けられる。可動枠３は固定枠２に対しヒンジ４で着脱可能（交換可能）に取り付けられる。可動枠３は前後方向に開放された縦長な長方形の空間を囲む額縁形状である。可動枠３が閉じられた場合、図外のロック機構によって、開閉不能に固定枠２に支持される。可動枠３には、パネル枠５および皿構造体としての上皿構造体６が左側に設けられる図外のヒンジで前側横方向に片開き可能に取り付けられる。パネル枠５は前後方向に開放された方形な空間を囲む額縁形状である。パネル枠５には、ガラスまたは合成樹脂からなる光透過性を有するパネル７がパネル枠５で取り囲まれた方形な空間を覆う格好で取り付けられる。パネル枠５および上皿構造体６が閉じられた場合、図外のロック機構によって、開閉不能に可動枠３に支持される。可動枠３の右側部には施錠装置８が設けられる。可動枠３やパネル枠５および上皿構造体６が閉じられてロック機構で開閉不能に支持された状態において、遊技店の店員が図外のキープレート（鍵）を遊技機枠１の前側から施錠装置８の鍵穴９に挿入し、当該キープレートを例えば右側に９０度回転操作すると、固定枠２と可動枠３とのロック機構による支持形態が解除される。この支持形態の解除後に、店員が可動枠３を前側に引くことによって、可動枠３はヒンジ４を回転中心として前側に片開きされる。上記施錠装置８の鍵穴９に挿入されたキープレートが例えば左側に９０度回転操作されると、可動枠３とパネル枠５とのロック機構による支持形態が解除される。この支持形態の解除後に、店員がパネル枠５を前側に引くことによって、パネル枠５は図外のヒンジを回転中心として前側に片開きされる。このように、パネル枠５が前側に開かれた状態において、店員が上皿構造体６の裏面に設けられたロック解除操作体１１を操作すると、可動枠３と上皿構造体６とのロック機構による支持形態が解除される。この支持形態の解除後に、店員が上皿構造体６を前側に引くことによって、上皿構造体６は図外のヒンジを回転中心として前側に片開きされる。上皿構造体６の前面には、遊技に使用する球を受ける上皿１２を備える。上皿構造体６の裏面には、球受樋１３と、上皿１２から発射構成体８５の球受部８６に球を１個ずつ供給する球供給装置１４とを備える。可動枠３の裏面にはリアプレートまたは機構板と呼ばれるような遊技盤収納構造体１５が取り付けられる。遊技盤収納構造体１５は中央に逃開口部１６を備える。逃開口部１６は遊技盤４１の裏面に設けられた盤側集合樋を取り込む孔である。遊技盤収納構造体１５の逃開口部１６よりも下部における前面には、遊技盤搭載棚１７を備える。遊技盤収納構造体１５の左上部における前面には、上皿構造体６の裏面に突出した球受樋１３を取り込むための逃孔２４が形成される。遊技盤収納構造体１５の左側裏面には、払出機構２５が取り付けられる。そして、上皿構造体６が閉じられて可動枠３にロック機構で支持されると、球受樋１３の後部が逃孔２４を貫通して払出機構２５の下部に設けられた払出口２６の真下に配置される。これによって、払出機構２５から払い出された球は球受樋１３を経由して上皿１２に払い出される。可動枠３の前面には、下皿構造体２７が上皿構造体６よりも下部に位置して固定される。下皿構造体２７は上皿１２の満杯で上皿１２から溢れた球を受ける下皿２８と、上皿１２で溢れた球を下皿２８に排出する球入口２９とを備える。下皿構造体２７の前面には、下皿２８の底部に設けられた球抜口３１を開閉するシャッター３２を操作する開閉操作体３３を備える。そして、下皿構造体２７の下部に図外のドル箱と呼ばれるような球受箱を置いた状態において、遊技者が開閉操作体３３を操作し、シャッター３２が開動作し、球抜口３１が開放されると、下皿２８に貯められた球が下皿２８から球抜口３１を経由して球受箱に排出される。遊技者が上記開閉操作体３３に対する操作を解除すると、開閉操作体３３およびシャッター３２が図外のばね力で図２に示す元の状態に戻り、シャッター３２が球抜口３１を閉じる。下皿構造体２７の右側部には可動枠３に取り付けられた発射操作機構３４が配置される。
【０００８】
遊技盤４１は、遊技盤搭載棚１７の上面１７ｂに載せられるとともに可動枠３と遊技盤収納構造体１５とで囲まれた前方開放な形状の収納室に格納される。遊技盤４１の前面４２には遊技領域４３を囲み形成するガイドレール４４が設けられる。ガイドレールは外ガイドレール４５と内ガイドレール４６とからなる。外ガイドレール４５は、遊技領域４３の上端から前面４２の左右に円弧状で下って前面４２の下端の左右両端に向けて延長する。前面４２に取り付けられた外ガイドレール４５の形態は、前面４２の前方側から見て、上に凸状の円弧を描き、この円弧の両端が前面４２の下端に向けてゆるいカーブで延長し、両下端が互いに離れていて下方が開放される。内ガイドレール４６は、外ガイドレール４５より内側に設けられ、遊技領域４３の下端から前面４２の左右に円弧状で上がって前面４２の上端中央に向けて延長する。前面４２に取り付けられた内ガイドレール４６の形態は、前面４２の前方側から見て、下に凸状の円弧を描き、円弧の両端が前面４２の上下の中央よりやや上方まで延長し、両上端が互いに離れていて上方が開放される。前面４２の両側に設けられた外ガイドレール４５と内ガイドレール４６との間は、互いに別々の２つの発射通路４７；４７として形成される。発射通路４７は、前面４２の下方から側方を経由して上方に延長する曲路に形成される。
【０００９】
発射通路４７の出口には戻球防止弁４８が設けられる。戻球防止弁４８は、発射通路４７から戻球防止弁４８を押し開けて遊技領域４３に発射された球が遊技領域４３から発射通路４７に戻るのを防止する。遊技領域４３の天の位置には、前面４２の前に突出可能で、かつ、遊技盤４１に形成された図外の貫通孔内に没することの可能な球反発体４９が設けられる。球反発体４９は例えば弾性を有するゴムや合成樹脂など球が衝突することにより球に反発力を付与し得る材料で形成される。球反発体４９の突出した場合の突出長さ、遊技盤４１の上下方向に沿う方向の幅、遊技盤４１の上下方向と直交する方向の幅は、一方の発射通路４７から発射された球が他方の発射通路４７の出口の戻球防止弁４８まで到達することを阻害し得る寸法に設定される。球反発体４９は、遊技盤４１の裏側に設けられたソレノイドのような球反発体駆動源５０（図２参照）により出、没の２つの状態に駆動される。
【００１０】
遊技盤４１の下方の遊技盤搭載棚１７の前面１７ａには発射構成体８５が設けられる。発射構成体８５は、球供給装置１４から供給される球を受け取る球受部８６と、球受部８６から遊技機枠１の収納室に格納された遊技盤４１の左右に設けられた発射通路４７のそれぞれに指向して延長する発射レール８７；８７と、左右の発射レール８７を個別に囲む筒状の電磁石８８；８８とを備える。発射レール８７は球受部８６から発射通路４７に向けて直線状あるいは下方に湾曲して先端が発射通路４７に向けて延長する形に形成される。発射レール８７の先端の発射口８９は互いに別々の発射通路４７にファール球取込空間９０を隔てて連接する。発射レール８７の周囲には発射レール８７毎に発射レール８７の周囲を取り囲むように電磁石８８が設けられる。電磁石８８は制御装置としての遊技制御装置６７による電力の供給と遮断との交互の繰り返しで駆動されて球受部８６の球を発射レール８７に発射する。遊技制御装置６７は、遊技盤４１の裏部または遊技機枠１の裏部に取り付けられる。遊技制御装置６７により電磁石８８に電力を供給することにより電磁石８８に帯磁される磁力で球受部８６の球を吸引し、かつ、球を電磁石８８で吸着する直前に遊技制御装置６７により電磁石８８に対する電力を遮断することにより、発射レール８７に乗った球は電磁石８８の円孔９１を経由して発射通路４７に発射される。即ち、発射レール８７が発射された球を対応する発射通路４７に誘導する。球受部８６の下方には球供給装置１４から球受部８６に供給された球を検出する発射球検出器９２が設けられる。
【００１１】
図１のｂ図に示すように、球受部８６は発射レール８７の底壁９３に連設する受板９４を有する。受板９４の前方には球供給装置１４の球供給口１４ａに連設する球受入口９５が形成される。電磁石８８は中央に発射レール８７を貫通させる円孔９１を備えた四角筒状であり、内部には円孔９１を取り囲むように図外の電磁コイルが配置される。電磁石の円孔９１には円筒状の発射レール８７が通される。発射レール８７の下端側は上部開放の半筒状部９６に形成され、この半筒状部９６が電磁石８８より球受部８６側に配置される。球受部８６と発射レール８７は、例えば非磁性体である光透過性の合成樹脂により形成される。そして、球受部８６の受板９４の下方には、例えば図外発光素子と受光素子とを備える光センサーのような発射球検出器９２が配置され、この発射球検出器９２により受板９４の下から受板９４の上の球に向けて光を出射し、球で反射した反射光を検出することで、受板９４上に球が供給されていることを検出する。例えば受板９４に球の下端部が入り込む小さい窪みを設けておけば、球の動きを静止でき、発射球検出器９２による球検出精度を向上できる。発射レール８７の上端は斜めに切断される。発射レール８７の上端切断面８９ａは遊技盤搭載棚１７の上面１７ｂより下方に位置し、遊技盤搭載棚１７の上面１７ｂと平行な発射口８９を形成する。
【００１２】
図３に示すように、電磁石８８は相対向する２つの面９７；９７より突出して遊技盤搭載棚１７の前面１７ａと対向する取付板９８；９８を備え、この取付板９８に形成された貫通孔９９にタッピングスクリューのような止めねじ１００を通して止めねじ１００で取付板９８を遊技盤搭載棚１７の前面１７ａに取り付けることで、遊技盤搭載棚１７の前面１７ａに電磁石８８が固定される。遊技盤搭載棚１７の前面１７ａには電磁石８８の側部を嵌め込む凹部１０１が形成され、電磁石８８が凹部１０１に収納された状態で取り付けられることで、発射レール８７の外面が遊技盤搭載棚１７の前面１７ａに接触する。
【００１３】
このように遊技機枠の遊技盤搭載棚１７の前面１７ａに発射構成体８５を設けたので、遊技盤４１には両側に発射通路４７を形成すればよい。したがって、遊技機枠１に発射構成体８５を備えているので、機種交換において遊技機枠１に対して交換する遊技盤４１としては、球受部８６や発射レール８７を備えたものを製作する必要がなく、経済的に有利である。
【００１４】
図１のａ図に戻り、遊技盤搭載棚１７の前面１７ａにおける発射レール８７の発射口８９の横には発射通路４７と連設する上部開放のファール球受部１０２；１０２が設けられる。発射通路４７に発射されて発射通路４７の外ガイドレール４５に沿って発射レール８７の発射口８９の方に戻って来た球はファール球取込空間９０を経てファール球受部１０２に入り、ファール球受部１０２の裏側に連設するファール樋６４（図５参照）に排出される。
【００１５】
遊技機枠１の前面における下皿構造体２７の横には、発射形態切換指示手段１０３と発射方向選択指示手段１０４と球反発体出没選択指示手段１０５とが設けられる。発射形態切換指示手段１０３は、電磁石８８を交互に駆動させて球を左右の発射通路４７に交互に発射させる交互発射形態とするか、あるいは、いずれかの電磁石８８を駆動させて球をいずれかの発射通路４７に発射させる一方発射形態とするかの遊技者の意向を選択入力する手段である。発射方向選択指示手段１０４は、どちらの電磁石８８を駆動させて球を左右どちらの発射通路４７に発射させるかの遊技者の意向を選択入力する手段である。球反発体出没選択指示手段１０５は、球反発体４９を突出させるか、引っ込めるかの遊技者の意向を選択入力する手段である。発射形態切換指示手段１０３と、発射方向選択指示手段１０４は、発射方向切換操作機構を構成する。
【００１６】
図２に示すように、発射形態切換指示手段１０３、発射方向選択指示手段１０４、球反発体出没選択指示手段１０５としては、ボタンやレバーや回転体等の操作体１０６とこの操作体１０６により導通、非導通に設定されるスイッチ接点１０７とを備えたものを使用すればよいが、スイッチ接点１０７の導通状態（スイッチ投入状態）と非導通状態（スイッチ非投入状態）とで操作体１０６の状態が変わるボタンスイッチやトグルスイッチのようなタイプのものを用いれば、遊技者が発射形態や発射方向や反発体出没の状況を確認しやすくなる。例えば、発射形態切換指示手段１０３の操作体１０６を操作してスイッチ接点１０７を導通させると、図４に示すように、遊技制御装置６７が電磁石８８を交互に駆動させる交互発射形態に電磁石駆動手段１１０を設定し、発射形態切換指示手段１０３の操作体１０６を操作してスイッチ接点１０７を非導通とすることで、遊技制御装置６７の発射方向切換制御手段１１３がいずれかの電磁石８８を駆動させて球をいずれかの発射通路８７に発射させる一方発射形態に電磁石駆動手段１１０を設定する。例えば、発射方向選択指示手段１０４の操作体１０６を操作してスイッチ接点１０７を導通させると、発射方向切換制御手段１１３が左右の発射通路４７の左から球を発射させる状態に電磁石駆動手段１１０を設定し、発射方向選択指示手段１０４の操作体１０６を操作してスイッチ接点１０７を非導通とすると、発射方向切換制御手段１１３が右の発射通路４７から球を発射させる状態に電磁石駆動手段１１０を設定する。例えば、球反発体出没選択指示手段１０５の操作体１０６を操作してスイッチ接点１０７を導通させると、遊技制御装置６７が球反発体駆動源５０を駆動して球反発体４９を遊技盤４１の貫通孔内に収納させ、球反発体出没選択指示手段１０５の操作体１０６を操作してスイッチ接点１０７を導通させると、遊技制御装置６７が球反発体駆動源５０を駆動して球反発体４９を遊技盤４１の前面４２より前方に突出させる。例えば、いずれか一方の発射通路４７から遊技領域４３の天を超えたいずれか他方の発射通路４７に近い方の遊技領域４３に球を流下させたい場合には、人が球反発体出没選択指示手段１０５を操作して球反発体４９を遊技盤４１の裏側に引っ込めておけばよい。いずれか一方の発射通路４７からこの一方の発射通路４７に近い遊技領域４３に球を流下させたい場合には、人が球反発体出没選択指示手段１０５を操作して球反発体４９を前面４２の前方に突出させておけばよい。
【００１７】
また、球供給装置１４には図外のスプロケットのような球送り機構と、この球送り機構を駆動して球を球供給装置１４の球供給口１４ａから１個ずつ発射構成体８５の球受部８６に供給するモータのようなアクチュエータ１０８とが設けられる。上皿構造体６の閉じられた状態において、遊技制御装置６７がアクチュエータ１０８を制御することにより、球供給装置１４から球受部８６に球が１個ずつ供給される。
【００１８】
図１のａ図に戻って、遊技領域４３における遊技盤４１の前面４２には一般入賞部品５１と始動入賞部品５２と可変入賞部品５３と図柄表示器５４とアウト口５５と図外のサイドランプおよび多数本の遊技釘などの遊技部品を備える。一般入賞部品５１は球の入賞により定数の賞球を払い出すための入賞部品であって、定形な入賞口を有するポケットタイプになっている。始動入賞部品５２は球の入賞により図柄表示器５４を駆動するための入賞部品であって、電動チューリップと呼ばれる左右一対の開閉駆動可能な羽根を有する形態を図示したが、一般入賞部品５１に類似するポケットタイプでもよい。遊技釘は、遊技領域に球の行き交いや流れを作る障害釘と呼ばれる。可変入賞部品５３は、図柄表示器５４による当たりの確定で球の取り入れを可能とする、開閉体５６を有する入賞部品である。可変入賞部品５３の内部には、図外の特定入賞口と図外の普通入賞口とを備える。特定入賞口は、球の入賞で定数の賞球を払い出すとともに、開閉体５６を例えば最大１６回開閉するラウンド遊技の維持を行うための入賞口である。普通入賞口は、球の入賞で定数の賞球を払い出すとともに、１回のラウンド遊技中での開閉体５６の開閉動作を終了する入賞個数を計数するための入賞口である。一般入賞部品５１と始動入賞部品５２および可変入賞部品５３は、遊技領域４３から取り込んだ球を遊技盤４１の裏側に排出する取込形になっている。
【００１９】
遊技盤４１は、少なくてもパネル枠５が前側に開かれた状態において、可動枠３の前側から遊技盤搭載棚１７の上面１７ｂに載せられるように、可動枠３と遊技盤収納構造体１５とで囲まれた前方開放な形状の収納室に格納される。そして、遊技盤４１が上記収納室に格納され、パネル枠５および上皿構造体６が閉じられ、上皿１２に球が入れられた状態において、遊技者が発射操作機構３４を操作すると、電磁石８８が上皿１２から球受部に供給された球を１個ずつ遊技領域４３に向けて発射する。
【００２０】
図４を参照し、球の発射制御について説明する。遊技制御装置６７が電力供給で起動し、人による発射形態切換指示手段１０３の操作で交互発射形態が選択され、上皿１２に球が投入されている状態において、発射操作機構３４のグリップ部３４ａの内側に設けられた図外のタッチセンサからグリップ部３４ａに遊技者の手の触れていることを検出した信号（接触信号）が遊技制御装置６７に入力され、発射操作機構３４に設けられた停止スイッチ３４ｂから遊技者による球の発射停止操作を検出した信号（発射停止信号）が遊技制御装置６７に入力されていない場合には、発射操作機構３４のハンドルレバー３４ｃが人により発射操作されると、遊技制御装置６７はアクチュエータ１０８を駆動して球供給装置１４の球送り機構を駆動し、球供給装置１４の球供給口１４ａから発射構成体８５の球受部８６に球が１個供給される。そして、発射球検出器９２が球受部８６に供給された球を検出し、球検出信号が遊技制御装置６７に出力されると、遊技制御装置６７の電磁石駆動手段１１０が一方の電磁石８８に電流を供給可能な状態に設定する。そして、発射操作機構３４に設けられた図外の可変抵抗器のような操作量検出手段により発射操作機構３４のハンドルレバー３４ｃの操作量が検出され、この操作量が遊技制御装置６７に出力され、操作量に応じて遊技制御装置６７の電流制御手段１１１が一方の電磁石８８へ供給する電流量を制御することで、電磁石８８は供給された電流量に応じた磁力を発生する。つまり、電磁石駆動手段１１０が電磁石８８への電流供給を許可し、電流制御手段１１１が電磁石８８にハンドルレバー３４ｃの操作量に応じた電流を供給することにより、電磁石８８に磁力を発生させ、これにより、球受部８６の球は電磁石８８に吸引される。また、電磁石駆動手段１１０は、電磁石８８に吸引された球が発射レール８７に沿って電磁石８８の円孔９１内に入り図外の球検出器で検出されたら電磁石８８への電流供給を遮断し、電磁石８８による磁力を消磁する。この磁力の消磁により球は電磁石８８で吸着されることなく電磁石８８の円孔９１を通って発射レール８７の発射口８９から発射通路４７に向けて発射される。電磁石８８の発生する磁力の違いで球受部８６の球を吸引する力が変化するので、これにより、球の発射力が変わる。電磁石８８への電流の供給時間は、電磁石８８へ供給する電流量に応じて設定されている。例えば、遊技制御装置６７が、電流の量と供給時間とが対応付けられた図外のデータテーブルを備え、電磁石駆動手段１１０が電流量に対応した供給時間で電力の供給と遮断とを交互に繰り返す。電力の供給と遮断のタイミング制御は、遊技制御装置６７が内蔵する発振回路１１２からのクロック信号を図外の分周回路で分周して生成したタイミング信号に基いて行われる。即ち、電磁石駆動手段１１０が、いずれか一方の電磁石８８を発射操作機構３４から指示された発射出力により電力の供給と遮断との交互の繰り返しで駆動することによって、いずれか一方の電磁石８８が球受部８６に供給された球を該当する一方の発射レール８７に向けて発射し、当該発射レール８７が発射された球を対応する一方の発射通路４７に誘導する。
【００２１】
発射球検出器９２が球受部８６に供給された次の球を検出すると、球検出信号が遊技制御装置６７に出力され、電磁石駆動手段１１０が上述と同様に、他方の電磁石８８を発射操作機構３４から指示された発射出力により電力の供給と遮断との交互の繰り返しで駆動することによって、他方の電磁石８８が球受部８６に供給された球を該当する他方の発射レール８７に向けて発射し、当該発射レール８７が発射された球を対応する他方の発射通路４７に誘導する。以後、同様に、発射球検出器９２が球受部８６の球を検出する毎に遊技制御装置６７の電磁石駆動手段１１０が一方と他方の電磁石８８を交互に駆動する。球が発射されて球受部８６に球の無いことを発射球検出器９２により検出すると、遊技制御装置６７がその信号を入力して球供給装置１４のアクチュエータ１０８を駆動し、球供給装置１４の球供給口１４ａから球受部８６に球を１個供給する。電磁石駆動手段１１０は例えば一分間当たり１００発未満に設定された一定周期を以って、電磁石への電力の供給と遮断とを交互に行う。遊技制御装置６７に、タッチセンサからの検出信号が入力されていない場合、発射球検出器９２からの球検出信号が入力されていない場合、停止信号が入力されている場合は、電磁石駆動手段１１０が両方の電磁石８８への電力供給を遮断する。実施形態では、発射球検出器９２からの球検出信号によって電磁石駆動手段１１０が一方と他方の電磁石８８を交互に駆動する。よって、球受部８６に確実に球のある状態で球を交互に発射できるので、発射の信頼性を高めることができる。
【００２２】
人が発射形態切換指示手段１０３を操作することにより一方発射形態指示信号が遊技制御装置６７に出力されると、発射方向切換制御手段１１３がその信号を入力した時点で駆動されている電磁石８８を続けて駆動させるように電磁石駆動手段１１０を設定する。これにより、遊技盤４１の左右の発射通路４７のいずれか一方のみに球を発射する状態に設定される。その後、その発射方向を変えたい場合には、人が発射方向選択指示手段１０４を操作することにより、左発射方向指示信号あるいは右発射方向指示信号が遊技制御装置６７に出力されると、発射方向切換制御手段１１３はその指示信号を判定して、右の発射通路４７のみに球を発射する右発射形態、あるいは、左の発射通路４７のみに球を発射する左発射形態に電磁石駆動手段１１０を設定する。尚、一方発射形態指示信号を入力した際に設定されている発射方向と発射方向指示信号で指示された発射方向とが同じであれば、発射方向切換制御手段１１３は発射方向を維持するよう電磁石駆動手段１１０を設定し、一方発射形態指示信号を入力した際に設定されている発射方向と発射方向指示信号で指示された発射方向とが異なれば、発射方向切換制御手段１１３は発射方向指示信号で指示された発射方向に球を発射するように電磁石駆動手段１１０を設定する。よって、実施形態では、遊技者が、好みの発射形態、発射方向を選択できる。
【００２３】
図５を参照し、遊技盤４１の裏側および遊技機枠１の裏側の構造について説明する。遊技盤４１の裏面には盤側集合樋６１が取り付けられる。盤側集合樋６１は、遊技領域４３に発射されて一般入賞部品５１と始動入賞部品５２と可変入賞部品５３とから遊技盤４１の裏側に排出された球を集合する。盤側集合樋６１は、集合した球を一側下部に設けられた球排出部６２に誘導し、球排出部６２から下方に自由落下（球の自重で球が落下する現象）で排出する。遊技機枠１の裏側における遊技盤収納構造体１５の逃開口部１６よりも下部の裏面には、枠側集合樋６３とファール樋６４とが取り付けられる。枠側集合樋６３は、盤側集合樋６１の球排出部６２から排出された球と、遊技領域４３に発射されて遊技盤４１のアウト口５５から遊技盤４１の裏側に排出された球とを集合する。枠側集合樋６３は、集合した球を遊技機枠１の外部つまりパチンコ機の設置される図外の遊技設置構造体の回収装置に向けて排出する。よって、盤側集合樋６１と枠側集合樋６３とが発射構成体８５により遊技領域４３に発射された球の全部を集合して遊技機枠１外に向けて排出する集合樋を構成する。したがって、集合樋が盤側集合樋６１と枠側集合樋６３とに分割されている。このように、集合樋が盤側集合樋６１と枠側集合樋６３とに分割されたことによって、逃開口部１６を有する従前の構造のままの遊技盤収納構造体１５を使用することができる。ファール樋６４は遊技領域４３に到達しないで発射構成体８５側に戻ってファール球受部１０２；１０２およびファール球排出口２３；２３を経由して遊技盤収納構造体１５の裏側に排出されたファール球である球を集合して遊技機枠１外に向けて排出する。ファール樋６４の下流端は、球がファール樋６４から枠側集合樋６３に流れるように、枠側集合樋６３の中間部に接続する。ファール樋６４にはファール球検出器６５が設けられる。ファール球検出器６５は、ファール樋６４を通る球を検出してファール球検出信号を遊技盤４１の裏部または遊技機枠１の裏部に設けられた遊技制御装置６７に出力する。枠側集合樋６３には消磁機構７１がファール樋６４の接続された部分よりも下流側に設けられる。このように、消磁機構７１が枠側集合樋６３におけるファール樋６４の接続された部分よりも下流側に設けられたことによって、消磁機構７１が枠側集合樋６３における上部開口の側の上流側よりも細い下流側だけを取り巻けばよいので、消磁機構７１の外形が小さくなる。具体的には、枠側集合樋６３の下流側だけを取り巻く消磁機構７１における交流磁界を発生する消磁コイルの外形が小さくなる。これによって、遊技機枠１における消磁機構７１の周りには、遊技機枠１の裏部に消磁機構７１以外に取り付けるための空間を一層多く確保することができる。消磁機構７１は、枠側集合樋６３を通る球に帯磁した残留磁気を消去するための交流磁界を枠側集合樋６３の内部に形成し、枠側集合樋６３の内部を流れる球が当該交流磁界内を通る過程で、枠側集合樋６３を通る球から当該球の残留磁気を消去する。盤側集合樋６１と枠側集合樋６３およびファール樋６４は、透磁性および非磁性を有する合成樹脂のような材料で形成される。盤側集合樋６１、枠側集合樋６３、ファール樋６４それぞれの内部構造について説明する。遊技盤４１が遊技機枠１に格納された状態において、盤側集合樋６１は、遊技盤収納構造体１５の逃開口部１６より遊技盤収納構造体１５の裏側に突出する。盤側集合樋６１の内部には、遊技盤４１の裏側に開口した一般入賞部品５１の球出口８１と、始動入賞部品５２の球出口８２と、可変入賞部品５３における特定入賞口の球出口８３および普通入賞口の球出口８４が配置される。枠側集合樋６３の上部開口は、盤側集合樋６１の球排出部６２および遊技盤４１のアウト口５５の真下に配置される。ファール樋６４における上方の内部には、遊技盤収納構造体１５の裏側に開口したファール球排出口２３が配置される。よって、一般入賞部品５１の球出口８１から排出された球と、始動入賞部品５２の球出口８２から排出された球と、特定入賞口の球出口８３から排出された球と、普通入賞口の球出口８４から排出された球とが、盤側集合樋６１から枠側集合樋６３に取り込まれる。アウト口５５から排出された球は、枠側集合樋６３に取り込まれる。ファール球排出口２３から排出された球は、ファール球検出器６５を通過した後に、枠側集合樋６３に取り込まれる。これらの枠側集合樋６３に取り込まれた球は、消磁機構７１を通過した後に、枠側集合樋６３から遊技機枠１の外部に排出される。したがって、発射機構１９による発射動作で帯磁した球が図２の遊技領域４３から球出口８１と球出口８２と球出口８３と球出口８４およびアウト口５５から遊技盤４１の裏側で消磁機構７１を経由することによって、当該球に帯磁していた残留磁気が消磁機構７１の交流磁界で消磁される。また、発射機構１９による発射動作で帯磁した球が遊技領域４３に到達することなくファール樋６４から遊技盤４１の裏側で消磁機構７１を経由することによって、当該球に帯磁していた残留磁気が消磁機構７１の交流磁界で消磁される。このように、消磁された球が枠側集合樋６３で遊技機枠１の外部における遊技設置構造体の回収装置に排出され、この回収装置に排出された球が当該回収装置から補給装置を経由して払出機構２５に供給される。このため、回収装置や補給装置あるいは払出機構２５において、複数の球どうしが残留磁気で互いに数珠つなぎとなって球詰まりを発生することなく、当該球をパチンコ機で適切に使用することができる。
【００２４】
図５において、７４は払出機構２５から排出される球を図２の球受樋１３に誘導する賞球樋、７５は図２の上皿１２から溢れた球を下皿２８に誘導するオーバーフロー樋、７６はオーバーフロー樋７５から排出される球を下皿２８の球入口２９に誘導する下樋、７７は図２の可動枠３の裏面に取り付けられた消磁制御装置である。消磁制御装置７７は、遊技制御装置６７から制御許可が指示されると、消磁機構７１の消磁コイルに電力を供給し、消磁機構７１の消磁コイルに交流磁界を発生させ、遊技制御装置６７から制御禁止が指示されると、上記消磁機構７１の消磁コイルへの電力の供給を遮断する装置である。発射操作機構３４の操作による操作量の入力、または、発射操作機構３４からの接触信号の入力が遊技制御装置６７に設定された例えば１０秒のような一定時間連続して途絶えるか、または、発射操作機構３４からの発射停止信号の入力が遊技制御装置６７に上記一定時間連続するというように、発射操作機構３４から遊技制御装置６７への発射に必要な条件が一定時間連続して途絶えると、遊技制御装置６７はその一定時間が経過してから所定時間後に消磁制御装置７７に消磁機構７１への制御禁止を指示する。例えば、可変抵抗値の入力がなくなる直前に発射機構１９から打ち出された球が遊技領域から消磁機構７１を通過し終わるのに十分な時間は１５秒であるとし、一定時間が１０秒であるとした場合、所定時間は１５秒−１０秒＝５秒となる。遊技制御装置６７は、一般入賞部品５１に入賞した球を検出する図外の一般球検出器からの入賞検出信号が入力されると、定数の賞球を払い出すべく払出機構２５を駆動する。遊技制御装置６７は、始動入賞部品５２に入賞した球を検出する図外の始動球検出器からの入賞検出信号が入力されると、当たり外れの抽選を行うとともに図柄表示器５４が図柄変動を表示するべく図柄表示器５４を駆動し、その後、当たり外れの抽選結果を反映すべく、図柄表示器５４の図柄変動を停止する。その停止で、図柄表示器５４の表示が当たり図柄で確定すると、遊技制御装置６７は可変入賞部品５３の開閉体５６を所定回数または所定時間開閉する当たり遊技を行うべく図外の開閉体駆動源を駆動する。開閉体駆動源で駆動された開閉体５６の開放中において、遊技制御装置６７は、開閉体５６の開放経過時間をカウントアップするとともに、可変入賞部品５３の普通入賞口に入賞した球を検出する図外の普通球検出器からの入賞信号が入力されるごとに普通入賞数をカウントアップする。そして、遊技制御装置６７は、カウントアップした開放経過時間が遊技制御装置６７に設定された例えば３０秒のような設定開放経過時間に到達するか、カウントアップした普通入賞数が遊技制御装置６７に設定された例えば１０個のような設定普通入賞数に到達するまでに、特定入賞口に入賞した球を検出した図外の特定球検出器からの入賞信号が入力されると、ラウンド遊技の維持を設定し、カウントアップした開放経過時間が設定開放経過時間に到達するかカウントアップした普通入賞数が設定普通入賞数に到達したところで、開閉体５６を閉じた後に再び開くラウンド遊技を実行する。しかも、遊技制御装置６７は、可変入賞部品５３の普通球検出器からの入賞信号、可変入賞部品５３の特定球検出器からの入賞信号が入力されると、定数の賞球を払い出すべく払出機構２５を駆動する。遊技制御装置６７の内部には、払出駆動手段６８を有する。遊技制御装置６７が電力供給で起動した状態において、払出駆動手段６８がファール球検出器６５からのファール球検出信号を入力すると、当該ファール球検出信号に対応して払出機構２５の払出駆動源６９を駆動する。これによって、払出駆動源６９が払出機構２５のスプロケットのような払出体７０を駆動し、払出体７０が上記ファール樋６４から遊技盤４１の裏側で消磁機構７１を経由して遊技機枠１の外部における遊技設置構造体の回収装置に排出されたファール球に相当する球を遊技機枠１の前面に設けられた球皿である図２の上皿１２に払い出す。
【産業上の利用可能性】
【００２５】
遊技制御装置６７の発射方向切換制御手段１１３が発射操作機構３４からの操作量を入力した後に複数の電磁石８８に対する駆動を一定時間間隔で交互に行うように電磁石駆動手段１１０を制御してもよい。
遊技制御装置６７が球供給装置１４の球送り機構を駆動するアクチュエータ１０８への駆動信号を出力する毎に発射方向切換制御手段１１３が複数の電磁石８８に対する駆動を一定時間間隔で交互に行うように電磁石駆動手段１１０を制御してもよい。
左右の発射通路４７に交互に球を発射する機能を設けず、左右の発射通路４７のどちらに球を発射するかを遊技者が選択できる発射方向切換操作機構を備えるだけでもよい。左右の発射通路４７のどちらに球を発射するかを遊技者が選択できる発射方向切換操作機構として、発射形態切換指示手段１０３、発射方向選択指示手段１０４のいずれか一方のみを設けても良い。発射方向選択指示手段１０４の操作体１０６とスイッチ接点１０７とを、左発射方向選択指示用と右発射方向選択指示用とに分けてもよい。この場合において、両方の操作体１０６が人により操作された場合には、発射方向切換制御手段１１３が例えば後に操作された方の指示を優先するように構成すればよい。
【図面の簡単な説明】
【００２６】
【図１】ａ図は遊技機枠と遊技盤とを分解したパチンコ機の前側からの外観を示した斜視図、ｂ図は発射構成体を示す斜視図。
【図２】パチンコ機の正面図。
【図３】発射構成体の取付構造図。
【図４】発射制御の構成を示すブロック図。
【図５】盤側集合樋と枠側集合樋およびファール樋の裏面を除去したパチンコ機の背面図。
【符号の説明】
【００２７】
１  遊技機、６  上皿構造体（皿構造体）、３４  発射操作機構、４１  遊技盤、
４７  発射通路、６３  枠側集合樋（集合樋）、６４  ファール樋、
６７  遊技制御装置（制御装置）、７１  消磁機構、８５  発射構成体、８６  球受部、８７  発射レール、８８  電磁石、９２  発射球検出器、
１０３  発射形態切換指示手段（発射方向切換操作機構）、
１０４  発射方向選択指示手段（発射方向切換操作機構）、
１１０  電磁石駆動手段、１１３  発射方向切換制御手段。
【図１】
2005177140.tif 000003
【図２】
2005177140.tif 000004
【図３】
2005177140.tif 000005
【図４】
2005177140.tif 000006
【図５】
2005177140.tif 000007